(57)【要約】  調理器具は制御パネル（４００）及び制御パネル（４００）反転機構を含み、制御パネル（４００）反転機構は、基台（２００）と、基台（２００）に設けられ駆動力を出力する駆動アセンブリ（１００）と、一端が駆動アセンブリ（１００）に接続され、他端が制御パネル（４００）に接続され、駆動アセンブリ（１００）により出力された駆動力を制御パネル（４００）に伝達することにより、制御パネル（４００）を開閉可能な伝動アセンブリ（３００）と、を含む制御パネル反転機構及び調理器具を提供する。この反転機構は、駆動アセンブリ（１００）及び伝動アセンブリ（３００）により制御パネル（４００）の自動開閉を実現することができる。ユーザの操作が便利であり、ユーザの労力が効果的に減少され、この制御パネル反転機構は、構造が簡単であり、コストが低く、自動化程度が高い。
2019525121.tif 000002
【特許請求の範囲】
【請求項１】
制御パネルを含む調理器具用の制御パネル反転機構であって、
基台と、
前記基台に設けられ、駆動力を出力する駆動アセンブリと、
一端が前記駆動アセンブリに接続され、他端が前記制御パネルに接続され、前記駆動アセンブリにより出力された駆動力を前記制御パネルに伝達することにより、前記制御パネルを開閉する伝動アセンブリと、を含むことを特徴とする制御パネル反転機構。
【請求項２】
前記駆動アセンブリは、順方向における回動力又は逆方向における回動力を出力可能なモータと、前記モータが設けられる第１のブラケットと、を含む請求項１に記載の制御パネル反転機構。
【請求項３】
前記伝動アセンブリは、
前記モータの出力軸に接続され、前記出力軸による回動に従って回動するギアと、
前記基台に固定締結され前記ギアに噛み合うラックであって、前記モータの出力軸が回動する時、前記ギアを連動させて回動させ、前記ギアがラック上を移動することにより前記モータ及び前記第１のブラケットを連動させて前記ラック上を往復運動させる前記ラックと、
一端が前記第１のブラケットに接続され、他端が前記制御パネルに接続され、前記モータ及び前記第１のブラケットが前記ラック上を往復運動することに伴って、前記制御パネルを開閉するリンクと、を含む請求項２に記載の制御パネル反転機構。
【請求項４】
前記伝動アセンブリは、
少なくとも一つの従動輪と、前記モータの出力軸に接続され前記出力軸による回動に従って回動する主動輪を含むギア群と、
前記基台に固定締結され前記ギア群における一つの従動輪に噛み合うラックであって、前記モータの出力軸が回動する時、前記主動輪が前記従動輪を連動させて前記ラック上を移動させることにより、前記モータ及び前記第１のブラケットを連動させてラック上を往復運動させる前記ラックと、
一端が前記第１のブラケットに接続され他端が前記制御パネルに接続され、前記モータ及び前記第１のブラケットに伴って前記ラック上を往復運動することで前記制御パネルを開閉可能なリンクと、を含む請求項２に記載の制御パネル反転機構。
【請求項５】
前記モータのオン／オフを制御する少なくとも一つの微動スイッチをさらに含み、
前記モータ及び前記第１のブラケットは、前記ラック上を往復運動する時、前記モータ及び／又は前記第１のブラケットが前記微動スイッチにタッチ可能とする請求項３または４に記載の制御パネル反転機構。
【請求項６】
前記少なくとも一つの微動スイッチの数は二つであり、第１の微動スイッチが前記制御パネルに近い第１位置に設けられ、第２の微動スイッチが前記制御パネルから遠い第２位置に設けられ、
前記モータ及び前記第１のブラケットが前記第１位置に移動した時、前記リンクが前記制御パネルを押しのけることにより、前記モータ及び／又は前記第１のブラケットが前記第１の微動スイッチにタッチして、前記モータによる動きが止められ、
前記モータ及び前記第１のブラケットが前記第２位置に移動した時、前記リンクが前記制御パネルを閉じることにより、前記モータ及び／又は前記第１のブラケットが前記第２の微動スイッチにタッチして、前記モータによる動きが止められる請求項５に記載の制御パネル反転機構。
【請求項７】
前記制御パネルが押しのけられた所定の時間に、トリガ信号を前記モータに送信することにより、前記制御パネルを閉じるように前記モータの出力軸を第１方向に向かって回動させること、及び／又は
前記制御パネルが閉められた所定の時間に、トリガ信号を前記モータに送信することにより、前記制御パネルを開けるように前記モータの出力軸を前記第１方向とは逆方向の第２方向に向かって回動させること、を制御する制御ユニットをさらに含む請求項５に記載の制御パネル反転機構。
【請求項８】
前記ラックを固定するとともに、前記基台に接続される第２のブラケットをさらに含む請求項３または４に記載の制御パネル反転機構。
【請求項９】
前記駆動アセンブリは、出力軸を有し順方向における回動力又は逆方向における回動力を出力可能なモータを含み、
前記伝動アセンブリは、一端が前記モータの出力軸に接続され他端が前記制御パネルと固定締結され、前記制御パネルを連動させて前記回動軸回りに回動させるシャフトを含む請求項１に記載の制御パネル反転機構。
【請求項１０】
キャビティと、
前記キャビティ上方に位置し前記基台内に設けられたタンクと、
前記タンクの前方に設けられた制御パネルと、
前記制御パネルを開閉可能な請求項１〜９のいずれか一項に記載の制御パネル反転機構と、を含む調理器具。
【発明の詳細な説明】
【技術分野】
【０００１】
本発明は、調理器具の技術的分野に関し、具体的には、制御パネル反転機構及び調理器具に関する。
本願は、２０１６年８月１０日に中国特許庁に出願された、特許出願第２０１６１０６５４２４０．２号であり、発明の名称が「制御パネル反転機構及び調理器具」である中国特許出願に基づき優先権を主張し、その内容の全てを援用することにより本願に取り入れる。
【背景技術】
【０００２】
現在、関連技術では、調理器具のタンクがキャビティの側面に置かれ、キャビティの内部容積が縮小され、食物の料理に不利である。そして、タンクを取り出す時に、調理器具の制御パネルを開けてから、タンクを取り出す必要があり、制御パネルを開ける方法は、通常、手動開閉又は半自動開閉であり、その中でも、手動開閉で制御パネルの調理器具を開閉するためには、手動で制御パネルを開けて、その中の物品を取り出してから、手動で制御パネルを閉じる必要がある。時間がかかり、面倒であり、調理器具の見栄えにも影響を与える。半自動開閉で制御パネルの調理器具を開閉するためには、先ず制御パネルを押圧してから、さらに制御パネルを持ち上げて、その中の物品を取り出した後、元の経路に沿って制御パネルを閉じる必要がある。この機構は、構造が複雑になり、コストが高く、自動化レベルが低く、クライアントのニーズを完全に満たすことができない。
【発明の概要】
【発明が解決しようとする課題】
【０００３】
本発明は、先行技術又は関連技術における少なくとも一つの技術的問題を解決することを目的とする。
【０００４】
このため、本発明一つの目的は、制御パネル反転機構を提供する。
【０００５】
本発明のもう一つの目的は、当該制御パネル反転機構を有する調理器具を提供する。
【課題を解決するための手段】
【０００６】
これに鑑みて、本発明の一つの目的により、本発明は制御パネルを含む調理器具用の制御パネル反転機構であって、基台と、基台に設けられ、駆動力を出力する駆動アセンブリと、一端が駆動アセンブリに接続され、他端が制御パネルに接続され、駆動アセンブリにより出力された駆動力を制御パネルに伝達することにより、制御パネルを開閉する伝動アセンブリと、を含む制御パネル反転機構を提供する。
【０００７】
本発明は、制御パネル反転機構を提供し、駆動アセンブリにより動力を提供し、伝動アセンブリにより動力を制御パネルに提供することで、制御パネルの自動反転が実現される。この制御パネル反転機構は、構造が簡単であり、コストが低く、自動化程度が高く、基台内部に位置しており、調理器具外観の見栄えに影響を与えず、ユーザのニーズを完全に満たすことができる。
【０００８】
上記の技術的手段において、好ましくは、駆動アセンブリは、順方向における回動力又は逆方向における回動力を出力可能なモータと、モータが設けられる第１のブラケットと、を含む。
【０００９】
当該技術的手段において、駆動アセンブリは、モータ及び第１のブラケットを含み、第１のブラケットは、モータを支持する役割を果たすとともに、モータは、順方向における回動力及び逆方向における回動力を出力することができ、両者の間で切り替えることができる。モータを動力出力装置として使用し、その動力出力がスムーズであり、振動が小さく、力の出力方向を切り替えることができる。
【００１０】
上記の技術的手段において、好ましくは、伝動アセンブリは、モータの出力軸に接続され、出力軸による回動に従って回動するギアと、基台に固定締結されギアに噛み合うラックであって、モータの出力軸が回動する時、ギアを連動させて回動させ、ギアがラック上を移動することによりモータ及び第１のブラケットを連動させてラック上を往復運動させるラックと、一端が第１のブラケットに接続され、他端が制御パネルに接続され、モータ及び第１のブラケットがラック上を往復運動すること伴って、制御パネルを開閉するリンクと、を含む。
【００１１】
当該技術的手段において、モータ出力軸におけるギアを基台に固定されたラックに噛み合わせて、モータ出力軸による回動に伴ってモータと第１のブラケットとの往複運動を実現しており、第１のブラケットをリンクを介して制御パネルに繋いでおり、モータと第１のブラケットとの往複運動に伴って制御パネルの開閉が実現される。この機構は、構造が簡単で、運動がスムーズで、スピードが均一であり、制御パネルの自動開閉が効果的に実現される。
【００１２】
上記の技術的手段において、好ましくは、伝動アセンブリは、少なくとも一つの従動輪と、モータの出力軸に接続され出力軸による回動に従って回動する主動輪を含むギア群と、基台に固定締結されギア群における一つの従動輪に噛み合うラックであって、モータの出力軸が回動する時、主動輪が従動輪を連動させてラック上を移動させることにより、モータ及び第１のブラケットを連動させてラック上を往復運動させるラックと、一端が第１のブラケットに接続され他端が制御パネルに接続され、モータ及び第１のブラケットに伴ってラック上を往復運動させることで制御パネルを開閉可能なリンクと、を含む。
【００１３】
当該技術的手段において、モータ出力軸に設けられた主動輪が従動輪を連動させて回動させ、ラックをそのうち一つの従動輪に噛み合わせて、モータ出力軸による回動に伴ってモータと第１のブラケットとの往複運動を実現しており、第１のブラケットをリンクを介して制御パネルに繋いでおり、モータと第１のブラケットとの往複運動に伴って制御パネルの開閉が実現される。この機構は、構造が簡単で、運動がスムーズで、スピードが均一であり、制御パネルの自動開閉が効果的に実現される。そして、ギア群により伝動することで、主動輪が従動輪を連動させて回動させることにより、伝動がよりスムーズであり、調速機能が実現され、開閉中において制御パネルは最適な回転スピードが得られる。
【００１４】
上記の技術的手段において、好ましくは、モータのオン／オフを制御する少なくとも一つの微動スイッチをさらに含み、モータ及び第１のブラケットは、ラック上を往復運動する時、モータ及び／又は第１のブラケットが微動スイッチにタッチ可能とする。
【００１５】
当該技術的手段において、微動スイッチは、ラック上を往複運動するモータ及び第１のブラケットによる運動軌跡に設けられ、運動中において、モータ及び／又は第１のブラケットが微動スイッチにタッチすると、モータ及び／又は第１のブラケットによる動きが止められる。微動スイッチにより動きを止めるようにモータ及び／又は第１のブラケットを制御することで、モータ及び／又は第１のブラケットによる運動軌跡が効果的に制御され、制御パネルの自動開閉が実現される。
【００１６】
上記の技術的手段において、好ましくは、少なくとも一つの微動スイッチの数は二つであり、第１の微動スイッチが制御パネルに近い第１位置に設けられ、第２の微動スイッチが制御パネルから遠い第２位置に設けられ、モータ及び第１のブラケットが第１位置に移動した時、リンクが制御パネルを押しのけることにより、モータ及び／又は第１のブラケットが第１の微動スイッチにタッチして、モータによる動きが止められ、モータ及び第１のブラケットが第２位置に移動した時、リンクが制御パネルを閉じることにより、モータ及び／又は第１のブラケットが第２の微動スイッチにタッチして、モータによる動きが止められる。
【００１７】
当該技術的手段において、第１位置と第２位置とにそれぞれ一つの微動スイッチを設けることにより、モータ及び第１のブラケットを一定範囲で往複運動させ、第１のブラケットをリンクを介して制御パネルに繋いでおり、制御パネルの開閉が実現され、二つの微動スイッチによりモータの発停を正確に制御することができ、制御パネルが最適な開閉状態に達することができ、使用の寿命が長く、再現性がよく、交換及びデバッグをよくすることが要らない。第１位置と第２位置とに設けられたリミット装置は、微動スイッチに限られず、同様に、同じ役割を果たすことができる他のリミット素子を使用することができ、例えば、タッチスイッチ、位置センサ等がある。
【００１８】
上記の技術的手段において、好ましくは、制御パネルが押しのけられた所定の時間に、トリガ信号を前記モータに送信することにより、制御パネルを閉じるようにモータの出力軸を第１方向に向かって回動させること、及び／又は制御パネルが閉められた所定の時間に、トリガ信号を前記モータに送信することにより、制御パネルを開けるようにモータの出力軸を第１方向とは逆方向の第２方向に向かって回動させることを制御する制御ユニットをさらに含む。
【００１９】
当該技術的手段において、モータの回転方向及び起動停止を制御ユニットにより制御することにより、制御パネルの全自動開閉が実現され、ユーザの操作が便利であり、ユーザの労力が効果的に減少され、ユーザの体験を向上させる。
【００２０】
上記の技術的手段において、好ましくは、第２のブラケットは、ラックを固定するとともに基台に接続される。
【００２１】
当該技術的手段において、ラックは第２のブラケットに固定され、第２のブラケットは基台に固定され、この機構は、安定しており、堅固であり、第２のブラケットによりラックを支持することで、モータ及び第１のブラケットを安定してラックに沿って往複運動させることができる。
【００２２】
上記の技術的手段において、好ましくは、駆動アセンブリは、出力軸を有し順方向における回動力又は逆方向における回動力を出力可能なモータを含み、伝動アセンブリは、一端がモータの出力軸に接続され、他端が制御パネルに固定締結され、制御パネルを連動させて回動軸回りに回動させるシャフトを含む。
【００２３】
当該技術的手段において、モータ出力軸をシャフトの一端に接続させ、シャフトの他端を制御パネルに接続させ、モータが制御パネルを直接連動させてシャフト回りに反転させる。この機構は、構造が簡単であり、モータの動作効率を向上させる。
【００２４】
本発明のもう一つの目的は、キャビティと、キャビティ上方に位置し基台内に設けられたタンクと、タンクの前方に設けられた制御パネルと、上記いずれか１つの技術的手段により提供された制御パネル反転機構と、を含む調理器具を提供する。このため、この調理器具は、上記の何れの１つの技術的手段により提供された制御パネル反転機構による全ての有益な効果をも有する。そして、この技術的手段において、タンクをキャビティ上部に設けられることで、キャビティの幅が大きくなり、キャビティの全体空間が増え、食物の加熱及び料理に有利である。
【００２５】
以上、本発明は、制御パネル反転機構及び調理器具を提供し、制御パネル反転機構は、モータ及び第１のブラケットを含む駆動アセンブリと、ギア、ラック及びリンクを含む伝動アセンブリと、を備える。モータを第１のブラケットに固定しており、リンクの両端はそれぞれ第１のブラケット及び制御パネルに接続され、ギアがラックに噛み合って、モータがギア群を連動させて回動させ、モータ及び第１のブラケットをラックがある方向に沿って往複運動させることにより、制御パネルの全自動開閉が実現され、この機構は、ユーザの操作が便利であり、ユーザの労力が効果的に減少され、この制御パネル反転機構は、構造が簡単であり、コストが低く、自動化程度が高い。
【００２６】
本発明のほかの態様及びメリットは、以下に述べた部分によって明確になり、又は本発明を実施することで理解できる。
【００２７】
本発明の上記及び／又はほかの態様及びメリットは、以下の図面を参照した実施例の説明から明確になり、容易に理解することができる。
【図面の簡単な説明】
【００２８】
【図１ａ】本発明の一実施例に係る制御パネル反転機構制御パネルの閉状態を示す概念図である。
【図１ｂ】本発明の一実施例に係る制御パネル反転機構制御パネルの開状態を示す概念図である。
【図２】本発明の一実施例に係る制御パネル反転機構を示す概念図である。
【図３】本発明の一実施例に係るギア群機構を示す概念図である。
【図４】本発明の一実施例に係る微動スイッチ位置機構を示す概念図である。
【図５ａ】本発明の一実施例に係る調理器具の制御パネルが開状態になることを示す概念図である。
【図５ｂ】本発明の一実施例に係る調理器具の制御パネルが閉状態になることを示す概念図である。
【発明を実施するための形態】
【００２９】
本発明の上記の目的、特徴及び利点をより明確に理解できるために、以下に図面及び具体的な実施の形態に合わせて本発明をさらに詳しく述べる。なお、矛盾のない限り、本願の実施例と実施例における特徴を互いに組み合わせることができる。
【００３０】
以下の説明では、本発明を十分に理解するために、多数の具体的な詳細を述べるが、本発明はここで述べた形態と異なる形態で実施することもできる。従って、本発明の保護範囲は、以下に開示される具体的な実施例によって限定されるものではない。
【００３１】
本発明に係る一部の実施例における反転機構を以下に図１〜図５ｂを参照して説明する。
【００３２】
図１ａ及び図１ｂに示すように、本発明は、制御パネル４００を含む調理器具用の制御パネル反転機構であって、基台２００と、基台２００に設けられ駆動力を出力する駆動アセンブリ１００と、一端が駆動アセンブリ１００に接続され、他端が制御パネル４００に接続され、駆動アセンブリ１００により出力された駆動力を制御パネル４００に伝達することにより、制御パネル４００を開閉する伝動アセンブリ３００と、を含む制御パネル反転機構を提供する。
【００３３】
当該実施例において、駆動アセンブリ１００により動力を提供して、伝動アセンブリ３００により動力を制御パネル４００に供給することで、制御パネル４００の自動反転が実現される。この制御パネル反転機構は、構造が簡単であり、コストが低く、自動化程度が高く、基台内部に位置するため調理器具外観の見栄えに影響を与えず、ユーザのニーズを完全に満たすことができる。そのうち、図１ａは制御パネルの閉状態の制御パネル反転機構の概念図であり、図１ｂは制御パネルの開状態の制御パネル反転機構の概念図である。
【００３４】
本発明の一実施例において、好ましくは、図２に示すように、駆動アセンブリ１００は、順方向における回動力又は逆方向における回動力を出力可能なモータ１０２と、モータが設けられる第１のブラケット１０４と、を含む。
【００３５】
当該実施例において、駆動アセンブリ１００は、順方向における回動力及び逆方向における回動力を出力可能なモータと、モータ１０２を支持する第１のブラケット１０４と、を含み、両者の間で切り替えることができる。モータ１０２を動力出力装置として使用することで、その動力出力がスムーズであり、振動が小さく、力の出力方向を切り替えることができる。
【００３６】
本発明の一実施例において、好ましくは、図２に示すように、伝動アセンブリ３００は、モータ１０２の出力軸に接続され、出力軸による回動に従って回動するギアと、基台２００に固定締結されギアに噛み合い、モータ１０２の出力軸が回動する時、ギアを連動させて回動させ、ギアがラック３０４上を移動することでモータ１０２及び第１のブラケット１０４を連動させてラック３０４上を往復運動させるラック３０４と、一端が第１のブラケット１０４に接続され、他端が制御パネル４００に接続され、モータ１０２及び第１のブラケット１０４がラック３０４上を往復運動することに伴って制御パネル４００を開閉可能なリンク３０６と、を含む。
【００３７】
当該実施例において、モータ１０２の出力軸におけるギアを基台に固定されたラック３０４に噛み合わせることにより、モータ１０２の出力軸による回動に従ってモータ１０２と第１のブラケット１０４との往複運動を実現させ、リンク３０６により第１のブラケット１０４を制御パネル４００に繋いでおり、制御パネル４００をモータ１０２及び第１のブラケット１０４の往複運動に従って開閉を実現させる。この機構は、構造が簡単で、運動がスムーズで、スピードが均一であり、制御パネル４００の自動開閉が効果的に実現される。
【００３８】
本発明の一実施例において、好ましくは、図２及び図３に示すように、伝動アセンブリ３００は、少なくとも一つの従動輪と、モータ１０２の出力軸に接続され出力軸による回動に従って回動する主動輪３０８２と、を含むギア群３０８と、基台２００に固定締結されギア群３０８における一つの従動輪に噛み合い、モータ１０２の出力軸が回動する時、主動輪３０８２が従動輪を連動させてラック３０４上を移動させることで、モータ１０２及び第１のブラケット１０４を連動させてラック３０４上を往復運動させるラック３０４と、一端が第１のブラケット１０４に接続され他端が制御パネル４００に接続され、モータ１０２及び第１のブラケット１０４に伴ってラック３０４上を往復運動することで制御パネル４００を開閉するリンク３０６と、を含む。
【００３９】
当該実施例において、モータ１０２の出力軸における主動輪３０８２が従動輪を連動させて回動させるように設けることで、ラック３０４によりそのうち一つの従動輪に噛み合って、モータ１０２と第１のブラケット１０４をモータ１０２の出力軸による回動に伴って往複運動を実現させ、リンク３０６により第１のブラケット１０４を制御パネル４００に繋いでおり、制御パネル４００をモータ１０２及び第１のブラケット１０４の往複運動に伴って開閉を実現させる。この機構は、構造が簡単で、運動がスムーズで、スピードが均一であり、制御パネル４００の自動開閉が効果的に実現される。そして、ギア群３０８により伝動することで、主動輪３０８２が従動輪を連動させて回動させ、伝動がよりスムーズであり、調速機能を実現させることができ、開閉中において、制御パネル４００は最適な回転スピードが得られる。
【００４０】
ギア群３０８の具体的な伝動方式は、モータ１０２の出力軸端部には主動輪３０８２が取り付けられ、第１のブラケット１０４には第１の従動輪３０８４が取り付けられ、第１の従動輪３０８４が主動輪３０８２に噛み合い、第１のブラケット１０４には接続軸３０８９が取り付けられ、接続軸３０８９が第１の従動輪３０８４下方に位置しており、接続軸３０８９の一端には第２の従動輪３０８６が取り付けられ、第２の従動輪３０８６が第１従動３０８４輪に噛み合い、他端には第３の従動輪３０８８が取り付けられ、第３の従動輪３０８８がラックに噛み合い、主動輪３０８２がモータ１０２の出力軸による回転に従って回転し、第１の従動輪３０８４が主動輪３０８２による回転に従って回転し、第２の従動輪３０８６が第１の従動輪３０８４による回転に従って回転し、第２の従動輪３０８６が第３の従動輪３０８８を連動させて回転させ、第３の従動輪３０８８がラック３０４に回転して変位を生じさせ、モータ１０２及び第１のブラケット１０３を連動させてラック３０４に沿って直線運動させる。
【００４１】
本発明の一実施例において、好ましくは、図４に示すように、この制御パネル反転機構は、モータ１０２のオン／オフを制御する少なくとも一つの微動スイッチ３１０をさらに含み、モータ１０２及び第１のブラケット１０４がラック３０４上を往復運動する時、モータ１０２及び／又は第１のブラケット１０４も微動スイッチ３１０にタッチ可能とする。
【００４２】
当該実施例において、微動スイッチ３１０はラック上を往複運動するモータ１０２及び第１のブラケット１０４による運動軌跡に設けられ、運動中において、モータ１０２及び／又は第１のブラケット１０４が微動スイッチ３１０にタッチした時、モータ１０２及び／又は第１のブラケット１０４による動きが止められる。微動スイッチ３１０により動きを止めるようにモータ１０２及び／又は第１のブラケット１０４を制御することで、モータ１０２及び／又は第１のブラケット１０４による運動軌跡が効果的に制御され、制御パネルの自動開閉が実現される。
【００４３】
本発明の一実施例において、好ましくは、図４に示すように、この制御パネル反転機構において、少なくとも一つの微動スイッチ３１０の数は二つであり、第１の微動スイッチ３１０２が制御パネルに近い第１位置に設けられ、第２の微動スイッチ３１０４が制御パネルから遠い第２位置に設けられ、モータ１０２及び第１のブラケット１０４が第１位置に移動した時、リンク３０６が制御パネルを押しのけて、モータ１０２及び／又は第１のブラケット１０４が第１の微動スイッチ３１０２にタッチして、モータ１０２による動きが止められ、モータ１０２及び第１のブラケット１０４が第２位置に移動した時、リンク３０６が制御パネルを閉じることで、モータ１０２及び／又は第１のブラケット１０４が第２の微動スイッチ３１０４にタッチして、モータ１０２による動きが止められる。
【００４４】
当該実施例において、第１位置と第２位置とにそれぞれ一つの微動スイッチ３１０を設けることで、モータ１０２及び第１のブラケット１０４を一定範囲で往複運動させ、第１のブラケット１０２をリンク３０６を介して制御パネルに繋いでおり、制御パネルの開閉が実現され、二つの微動スイッチによりモータ１０２の発停を正確に制御することができ、制御パネルが最適な開閉状態に達することができ、使用の寿命が長く、再現性がよく、交換及びデバッグをよくすることが要らない。第１位置と第２位置とに設けられたリミット装置は、微動スイッチに限られず、同様に、同じ役割を果たすことができる他のリミット素子を使用することができ、例えば、触動スイッチ、位置センサ等がある。
【００４５】
本発明の一実施例において、好ましくは、制御ユニットは、制御パネルが押しのけられた所定の時間に、トリガ信号をモータに送信することで、制御パネルを閉じるようにモータの出力軸を第１方向に向かって回動させること、及び／又は制御パネルが閉められた所定の時間に、トリガ信号をモータに送信することで、制御パネルを開けるようにモータの出力軸を第１方向とは逆方向の第２方向に向かって回動させることを制御する。トリガ信号は、箱体内部に設けられたセンサにより検出された物品が持ち出されたり戻されたりした時に発せられた信号、又は重量変化情報、及び水位変化情報等の箱体内部における物品の変化情報である。
【００４６】
当該実施例において、箱体内部の変化状況に対する検出を制御ユニットにより制御し、検出された状況に応じてモータの回転方向及び起動停止を設定しており、制御パネルの全自動開閉が実現され、ユーザの操作が便利であり、ユーザの労力が効果的に減少され、ユーザの体験を向上させる。
【００４７】
当該実施例において、同様に、自動ユニットと半自動ユニットとの変換スイッチにより切り替える半自動ユニットを含み、ユーザ調理器具の使用が終了して循環を停止する必要がある時、及び特殊な状況が発生した時に、半自動のユニットに切り替えて手動操作が実現される。半自動ユニットの操作式は、ユーザが起動ボタンを押圧して、制御パネルが反転して開けられ、ユーザが手動で制御パネルの後方のウォーターボックスを取り出して、ウォーターボックスを水で満たしたりウォーターボックスにおける水を排出したりしてから、ウォーターボックスを箱体に戻して、ユーザが起動ボタンを押圧して、制御パネルが閉じる。
【００４８】
本発明の一実施例において、好ましくは、図２に示すように、第２のブラケット３０２は、ラック３０４を固定するとともに基台２００に接続される。
【００４９】
この実施例において、ラック３０４が第２のブラケット３０２に固定され、第２のブラケット３０２が基台２００に固定され、この機構は、安定しており、堅固であり、第２のブラケット３０２によりラック３０４を支持することで、モータ１０２及び第１のブラケット１０４を安定してラックに沿って往複運動させることができる。
【００５０】
本発明の一実施例において、好ましくは、駆動アセンブリは、出力軸を有し順方向における回動力又は逆方向における回動力を出力可能なモータ１０２を含み、伝動アセンブリは、一端がモータ１０２の出力軸に接続され他端が制御パネル４００に固定締結され、制御パネル４００を連動させて回動軸回りに回動させるシャフトを含む。
【００５１】
この実施例において、モータ１０２の出力軸をシャフト一端に接続させることで、シャフトの他端を制御パネル４００に接続させ、モータ１０２が制御パネル４００を直接連動させてシャフト回りに反転させる。この機構は、構造が簡単であり、モータの動作効率を向上させる。
【００５２】
図５ａ及び図５ｂに示すように、本発明もう一つの実施例は、キャビティと、前記キャビティ上方に位置し前記基台内部に設けられたタンクと、前記タンクの前方に設けられた制御パネル４００と、上記の何れか１つの技術的手段に提供された制御パネル反転機構と、を含む調理器具を提供する。そのため、この調理器具は、上記の何れの１つの技術的手段により提供された制御パネル反転機構による全ての有益な効果をも有する。そして、この技術的手段において、タンクをキャビティ上部に設けることで、キャビティの幅が大きくなり、キャビティの全体空間が増え、食物の加熱及び料理に有利である。
【００５３】
この実施例において、図５ａは調理器具の制御パネル４００の開状態であり、図５ｂは調理器具の制御パネル４００の閉状態である。
【００５４】
以上、本発明は、制御パネル反転機構及び調理器具を提供し、そのうち、制御パネル反転機構は、モータ及び第１のブラケットを含む駆動アセンブリと、ギア、ラック及びリンクを含む伝動アセンブリと、を備える。モータを第１のブラケットに固定させ、リンクの両端がそれぞれ第１のブラケット及び制御パネルに接続され、ギアがラックに噛み合い、モータによりギア群を連動させて回動させ、モータ及び第１のブラケットをラックがある方向に沿って往複運動させる。制御パネルの全自動開閉が実現され、この機構は、ユーザの操作が便利であり、ユーザの労力が効果的に減少され、この制御パネル反転機構構造が簡単であり、コストが低く、自動化程度が高い。
【００５５】
以上は、本発明の好適な実施例に過ぎず、本発明を限定するものではない。当業者であれば、本発明に様々な修正や変更が可能である。本発明の精神や原則内での任意の修正、均等な置換、改良などは、本発明の範囲内に含まれる。
【００５６】
ここで、図１〜図５ｂにおける符号と部材名との対応関係は、以下の通りである。
【符号の説明】
【００５７】
１００  駆動アセンブリ
２００  基台
３００  伝動アセンブリ
４００  制御パネル
１０２  モータ
１０４  第１のブラケット
３０２  第２のブラケット
３０４  ラック
３０６  リンク
３０８  ギア群
３０８２  主動輪
３０８４  第１の従動輪
３０８６  第２の従動輪
３０８８  第３の従動輪
３０８９  接続軸
３１０  微動スイッチ
３１０２  第１の微動スイッチ
３１０４  第２の微動スイッチ
【図１ａ】
2019525121.tif 000003
【図１ｂ】
2019525121.tif 000004
【図２】
2019525121.tif 000005
【図３】
2019525121.tif 000006
【図４】
2019525121.tif 000007
【図５ａ】
2019525121.tif 000008
【図５ｂ】
2019525121.tif 000009
【国際調査報告】
2019525121.tif 000010
2019525121.tif 000011
2019525121.tif 000012
2019525121.tif 000013
2019525121.tif 000014
2019525121.tif 000015